(57)【特許請求の範囲】
【請求項１】
ユーザの端末とホームページを有するウェブサーバとがインターネットを介して接続されており、前記ウェブサーバにはリクエスト可能な楽曲のデータが格納されたデータベースが接続されており、前記データベースには管理サーバを介して音声または画像またはテキストを発信する放送用システム及びスタッフ用コンピュータが接続されており、前記端末から前記ウェブサーバへのアクセス時に、前記端末において前記楽曲の画面に表示されたリクエスト投票ボタンを利用した選定により、少なくともリクエスト曲情報を含むリクエストが入力され、前記管理サーバが前記リクエスト曲情報を自動集計してリスト化し前記スタッフ用コンピュータに表示し、さらに前記リクエストに氏名が含まれている場合には前記リクエストが前記管理サーバを介して前記スタッフ用コンピュータに送信され、前記スタッフ用コンピュータからの選曲の入力に基づいて選曲された楽曲を、前記放送用システムが前記データベースから読み出して放送することを特徴とする情報システムを用いたリクエスト曲放送システム。
【発明の詳細な説明】
【技術分野】
【０００１】
本発明は、インターネット等のコンピュータネットワークを用いてユーザー（リスナー）からのリクエスト曲を迅速かつ容易に放送できるようにした情報システムを用いたリクエスト曲放送システムに関し、更に詳しくはインターネット対応型のパソコンや携帯電話（例えばｉモード）からのリクエスト曲を所定のルールで集計し、スタジオから、ワンクリックで又は自動的に選曲して放送するようにした情報システムを用いたリクエスト曲放送システムに関する。
【背景技術】
【０００２】
従来、ラジオの放送番組ではディスクジョッキー（以下、「ＤＪ」とする）が若者を中心にして人気があり、ＤＪ番組ではリスナーとの一体感を醸し出す観点から、リスナーからの便りの放送と共にリクエスト曲を放送することが多い。
【０００３】
図１０は従来のＤＪ番組の様子を示しており、放送局が電話やＦＡＸでリスナーからのリクエストを受付け、そのリクエスト曲の集計をしてリストを作成する。電話の受付けでは多くのオペレータ（電話受付嬢）を廃して、多くのリスナーからのリクエスト曲を円滑に受け付けるようにしている。ＤＪのパーソナリティ等は作成されたリストを見ながら放送する曲目を選定し、放送局員がその選定に従ってＣＤやレコード、テープ等を抽出し、その楽曲を放送するようにしている。
【０００４】
テレビの音楽番組でも、視聴者からのリクエスト曲を募り、希望の多い楽曲を放送することもあるが、リクエスト曲の受付けはラジオ同様に、電話やＦＡＸで行っているのが現状である。
【発明の開示】
【発明が解決しようとする課題】
【０００５】
上述のような従来のリクエスト曲の受付けでは、電話受付けのために多くのオペレータやスタッフを用意しなければならず、間違い電話やＦＡＸの掛け間違いといったトラブルも多い。特に、深夜での間違い電話は非常に迷惑となっており、その解決が強く要請されている。
【０００６】
本発明は上述のような事情によりなされたものであり、本発明の目的は、インターネット社会にマッチした情報システムを用いたリクエスト曲放送システムを提供することにあり、更に詳細には、放送番組で楽曲のリクエストを受け付ける際、リクエストを受け付けるオペレータをなくし、ユーザ（リスナー、視聴者）によるインターネット対応型のパソコンや携帯電話からのリクエスト曲を所定のルールで集計し、例えば得票数の多い楽曲をワンクリックで選曲して放送するようにした情報システムを用いたリクエスト曲情報システムを提供することにある。
【課題を解決するための手段】
【０００７】
本発明は、インターネット等の情報システムを用いたリクエスト曲の放送システムに関し、本発明の上記目的は、ユーザの端末とホームページを有するウェブサーバとがインターネットを介して接続されており、前記ウェブサーバにはリクエスト可能な楽曲のデータが格納されたデータベースが接続されており、前記データベースには管理サーバを介して音声または画像またはテキストを発信する放送用システム及びスタッフ用コンピュータが接続されており、前記端末から前記ウェブサーバへのアクセス時に、前記端末において前記楽曲の画面に表示されたリクエスト投票ボタンを利用した選定により、少なくともリクエスト曲情報を含むリクエストが入力され、前記管理サーバが前記リクエスト曲情報を自動集計してリスト化し前記スタッフ用コンピュータに表示し、さらに前記リクエストに氏名が含まれている場合には前記リクエストが前記管理サーバを介して前記スタッフ用コンピュータに送信され、前記スタッフ用コンピュータからの選曲の入力に基づいて選曲された楽曲を、前記放送用システムが前記データベースから読み出して放送することによって達成される。
【発明の効果】
【０００８】
以上のように本発明に係る情報システムを用いたリクエスト曲放送システムによれば、情報化社会にマッチした合理的で効率的なリクエスト曲放送システムを提供することができ、リクエストを受け付けるオペレータを無くし、リクエストの集計や選曲の面でも省力化を図ることができる。また、リクエストはインターネットを利用して行われるため、従来のように間違い電話やＦＡＸによる迷惑の問題も解消される。
【発明を実施するための最良の形態】
【０００９】
本発明は、ユーザ（リスナー）からのリクエスト曲の受付けを、インターネットに接続したパソコン又はインターネット対応型パソコン又は携帯電話に限定し、リクエスト方法を限定することによって放送局の人力や経費の削減を図るようにしている。そのため、本発明ではインターネットに接続されたウェブサーバのデータベースにリクエスト可能な楽曲に関するデータを登録しており、ユーザーはその登録されている楽曲の中から、画面上の投票ボタンをクリック等することによって容易にリクエストできるようにしている。リクエストされた曲は自動的に集計され、例えば得票数の多い順にリスト化され、リストの中から楽曲をワンクリックで選定、またはスタッフ用コンピュータにてリスト順に放送できる。また、放送された楽曲データはプレイした日付及び時刻でデータベースに書き込まれ、リクエスト者に通知されると共に、印刷されて例えばＪＡＳＲＡＣ（社団法人日本著作権協会）等に報告される。
【００１０】
以下に、本発明に係る情報システムを用いたリクエスト曲放送システムを、図面を参照して説明する。
【００１１】
図１は、本発明の概念的な構成をブロック図で示しており、コンピュータネットワークとしてのインターネット１に多数のユーザーの端末（パソコン）２（２１〜２ｎ）が接続され、インターネット対応型の携帯電話３（３１〜３ｍ）も接続可能である。インターネット１には、放送事業主が管理して運営するウェブサーバ４が接続され、このウェブサーバ４にはリクエスト可能な楽曲に関する曲名、音楽等を格納したデータベース５が接続されている。そして、データベース５にはインターフェース機能を有する管理サーバ６が接続され、管理サーバ６には、音声、画像、楽曲、テキスト等をユーザに放送するためのコンピュータ等で成る放送用システム８、ＤＪや製作スタッフが操作して楽曲等を放送するためのスタジオに設置されたスタッフ用コンピュータ７（７１〜７ｐ）、必要なデータを印刷して出力するプリンタ９が接続されている。スタッフ用コンピュータ７、放送用システム８及びプリンタ９は、管理サーバ６及びデータベース５を介して相互に接続されている。
【００１２】
このような構成において、そのリクエスト動作を図2のフローチャートを参照して説明する。
【００１３】
ラジオリスナーであるユーザーの端末（パソコン）２又は携帯電話３よりウェブサーバ４のホームーページをアクセスすると、ユーザーの端末２又は携帯電話３の画面に図３に示すようなリクエスト曲投票ボタンが表示される。表示されるデータは、データベース５に記憶された楽曲のリストであり、少なくともリクエスト順位、曲名、アーティスト名、得票数（リクエスト数）及び投票ボタンである。そのリクエスト曲投票ボタンをユーザーの端末２又は携帯電話を用いてクリックすると（ステップＳ１）、図４に示すようなユーザー情報書き込み画面が表示される（ステップＳ２）。ユーザーからそのユーザー情報書き込み画面に、住所、氏名、年齢、メッセージ等が入力され（ステップＳ３）、リクエスト曲に１票が加えられ、後にユーザーの端末２又は携帯電話３に再度表示されるリストの得票数に反映される（ステップＳ４）。
【００１４】
さらにウェブサーバ４は、投票後にリクエスト時刻、リクエスト曲情報、ユーザー情報をもデータベース５に保存し（ステップＳ５）、またユーザー情報に氏名が書き込まれているか否かを判定し（ステップＳ６）、氏名が書き込まれている場合にはリクエスト時刻、リクエスト曲情報、ユーザーメッセージ等を管理サーバ６を介してスタジオ（スタッフ用コンピュータ７）へメール送信する（ステップＳ７）。このメール送信後、管理サーバ６にて投票後の順位付けを行い（ステップＳ８）、例えばリクエストの多い順にスタッフ用コンピュータ７上に図６に示すようなリスト表示をする（ステップＳ９）。なお、リスト表示はジャンル別（ニューミュージック、ロック、ポピュラー、シャンソン、演歌等）に行われる。
【００１５】
一方、メール送信されたスタッフ用コンピュータ７では、図５に示すフローチャートに従って選曲する。即ち、先ず図６に示すような最新順位リストの表示が行われ（ステップＳ１０）、ＤＪ又は製作スタッフによるこのリストを見ながらその選曲が行われる（ステップＳ１１）。そして、スタッフ用コンピュータ７上で選曲すると、その選曲データが管理サーバ６及びデータベース５を経て放送用システム８に送られ、放送用システム８のコンピュータ上のプレイヤーに音楽がセットされる（ステップＳ１２）。
【００１６】
図６において、右欄はリクエスト曲の一覧を上位からのランキングで示し、”Ｒｅｑｕｅｓｔ”の数字は投票数を示している。左欄は放送用のセット曲一覧を示し、上から順に自動的に放送されるようになっているが、指定操作によって任意の曲を放送することも可能である。また、右欄において黒くなっている曲はオンエア中であることを示し、右欄の曲目欄を左欄に移動することによって左欄に移動することができる。
【００１７】
楽曲の放送は図７に示すフローチャートに従って行われる。即ち、スタッフ用コンピュータ７の画面上でクリック又は放送用システム８にて自動的に楽曲の演奏（オンエアー）が開始され（ステップＳ２０）、演奏された楽曲情報はデータベース５に書き込まれる。そして、演奏が終了すると（ステップＳ２１）、次の曲は演奏開始か否かを判定し（ステップＳ２２）、自動演奏開始の場合には上記ステップＳ２０にリターンして上記動作を繰返す。図８はデータベースに登録されている音楽の波形例を示している。
【００１８】
図９はデータベース５のデータをプリンタ９で印刷する動作を示しており、先ず日付を入力し（ステップＳ３０）、指定された日付の演奏データを表示し（ステップＳ３１）、画面上で印刷を指示することによってプリンタ９で印刷される。
【００１９】
なお、上述ではラジオＤＪ番組を例に挙げて説明しているが、テレビの音楽番組等におけるリクエスト番組にも全く同様に適用できる。
【図面の簡単な説明】
【００２０】
【図１】本発明の概念を示すブロック図である。
【図２】本発明による本システムの構成部全体の動作例を示すフローチャートである。
【図３】リクエスト曲投票ボタンの一例を示す図である。
【図４】ユーザー情報書き込み画面の一例を示す図である。
【図５】本発明による選曲の動作例を示すフローチャートである。
【図６】本発明のスタッフ用画面の一例を示す図である。
【図７】楽曲の放送動作例を示すフローチャートである。
【図８】データベースに登録されている音楽の波形例を示す図である。
【図９】ログデータの印刷動作例を示すフローチャートである。
【図１０】従来のリクエストによる放送の様子を示す図である。
【符号の説明】
【００２１】
１            インターネット
２            端末（パソコン）
３            携帯電話
４            ウェブサーバ
５            データベース
６            管理サーバ
７            スタッフ用コンピュータ
８            放送用システム
９            プリンタ
【図１】
0003615750.tif 000002
【図２】
0003615750.tif 000003
【図３】
0003615750.tif 000004
【図４】
0003615750.tif 000005
【図５】
0003615750.tif 000006
【図６】
0003615750.tif 000007
【図７】
0003615750.tif 000008
【図８】
0003615750.tif 000009
【図９】
0003615750.tif 000010
【図１０】
0003615750.tif 000011